(57)【要約】【課題】湿式仕上げの長所である高いデザイン自由度を生かしつつ、簡易かつ確実に内装入隅部のクラック発生を防止できるようにした、内装入隅部の湿式仕上構造を提案する。【解決手段】下地面たる内壁ＷＡ，ＷＢの面材１Ａ，１Ｂの室内側面に施工され、入隅部２に沿って塗膜が切られた湿式仕上材３と、前記塗膜の隙間３ａに充填された湿式弾性の変位吸収材４と、を備える内装入隅部の湿式仕上構造。【選択図】  図１
2004197381.tif 000002
【特許請求の範囲】
【請求項１】
下地面に施工され、入隅部に沿って塗膜が切られた湿式仕上材と、前記塗膜の隙間に充填された湿式弾性変位吸収材と、を備えることを特徴とする内装入隅部の湿式仕上構造。
【請求項２】
下地面に湿式仕上材を施工する第一工程と、
入隅部に沿って前記湿式仕上材の塗膜を切る第二工程と、
前記塗膜の隙間に湿式弾性変位吸収材を充填する第三工程と、
を含むことを特徴とする内装入隅部の湿式仕上方法。
【発明の詳細な説明】
【０００１】
【発明の属する技術分野】
本発明は、建築物の内装を湿式仕上げとした場合に、湿式仕上材が入隅部でひび割れることを防止できるようにした、内装入隅部の湿式仕上構造及び湿式仕上方法に関する。
【０００２】
【従来の技術】
建築物の内装仕上げの形式は、左官材、吹付材、塗料等の湿式仕上材による湿式仕上げと、ビニールクロスや化粧パネル等の乾式仕上材による乾式仕上げとに大別できる。湿式仕上げは、色合いやテクスチャー等のデザインバリエーションが極めて豊富（湿式仕上材中の顔料等の調合次第で無限のデザインバリエーションを作り出すことができる）であり、高級感溢れる魅力的なものが多いという点で、乾式仕上げよりも格段に優れているが、地震等に起因する下地面の挙動や、施工後の乾燥硬化に伴う湿式仕上材自体の収縮により、入隅部でクラックが生じやすいという欠点がある。
【０００３】
このように内装を湿式仕上げとした場合の入隅部のクラック発生を抑制するために、従来、たとえば図３に示すように、下地面となる内壁の面材１Ａ，１Ｂで形成された入隅部２に下塗りを施した後、コテやヘラ等でしごきながら補強用のジョイントテープ７を圧着し、その後、入隅部２を含む面材１Ａ，１Ｂの室内側面全面に湿式仕上材３を施工する湿式仕上構造が開示されている（たとえば特許文献１参照）。
また、たとえば図４に示すように、下地面となる内壁の面材１Ａ，１Ｂで形成された入隅部２に釘や接着剤で見切縁８を固定し、この見切縁８に突き当てるようにして面材１Ａ，１Ｂの室内側面に湿式仕上材３を施工する湿式仕上構造も周知である。
【０００４】
【特許文献１】
特開２００２−２２７３７２号公報
（［００１７］−［００３６］，図１−９）
【０００５】
【発明が解決しようとする課題】
しかしながら、図３に示した湿式仕上構造では、下塗りとジョイントテープ７との間に気泡が入らないように、またジョイントテープ７がよじれないように、コテやヘラ等を上手に使ってジョイントテープ７を平坦に圧着していかなければならず、熟練した技と煩雑な手間を要する。また実際には、ジョイントテープ７と湿式仕上材３とが完全になじむように施工されることは稀であり、依然としてクラックの発生を完全に防止することはできない。さらに、構造躯体や下地が変位する際に生じる応力は極めて大きいので、ジョイントテープ７等による補強はクラック発生防止のための根本的解決にはならない。
【０００６】
また、図４に示した湿式仕上構造では、見切縁８の両脇で湿式仕上材３がひび割れてしまう（ちり切れ）。また、入隅部２で見切縁８が露出するので、美観が台無しになってしまう。つまり、そもそも湿式仕上材３は継目のない（シームレスな）仕上面を形成するためのものであるのに見切縁８が露出するのは本末転倒であるし、そうかといって、湿式仕上材３が調合次第で無限のデザインバリエーションをもつことを考慮すれば、見切縁８のデザインを湿式仕上材３のそれに完全に調和させることも実際には不可能に近い。さらに、湿式仕上材３の施工時に見切縁８を養生する必要があるので、作業性が低下してしまう。
【０００７】
なお、以上の問題は、壁と壁とが交差する入隅部だけでなく、壁と天井との交差部位や、壁と床との交差部位等、内装にかかわる面と面とが角度をもって交差するあらゆる入隅部について、下地の材質や構造を問わずあてはまるものである。
【０００８】
本発明は以上のような事情に鑑みてなされたものであって、湿式仕上げの長所である高いデザイン自由度を生かしつつ、簡易かつ確実に内装入隅部のクラック発生を防止できるようにした、内装入隅部の湿式仕上構造（以下、単に「湿式仕上構造」という。）及び内装入隅部の湿式仕上方法（以下、単に「湿式仕上方法」という。）を提案することを課題とする。
【０００９】
【課題を解決するための手段】
すなわち、請求項１に係る発明は、下地面に施工され、入隅部に沿って塗膜が切られた湿式仕上材と、前記塗膜の隙間に充填された湿式弾性変位吸収材と、を備えることを特徴とする湿式仕上構造であり、請求項２に係る発明は、下地面に湿式仕上材を施工する第一工程と、入隅部に沿って前記湿式仕上材の塗膜を切る第二工程と、前記塗膜の隙間に湿式弾性変位吸収材を充填する第三工程と、を含むことを特徴とする湿式仕上方法である。
【００１０】
かかる湿式仕上構造ないし湿式仕上方法によれば、下地面に施工された湿式仕上材の塗膜が入隅部で縁切りされるので、下地面の挙動や湿式仕上材自体の収縮によって、湿式仕上材の塗膜にクラックが生じることがない。そして、塗膜の隙間には弾性を有する変位吸収材が充填されるので、下地面の挙動や湿式仕上材自体の収縮によって、入隅部に塗膜の隙間が露出することもない。加えて、変位吸収材は湿式であるので、その顔料等の配合を湿式仕上材の顔料等の配合に対応させることにより、変位吸収材と湿式仕上材のデザインを容易に調和させることができ、湿式仕上材の高いデザイン自由度を殺すことがない。なお、湿式弾性変位吸収材の施工は内装工事の範疇であるので、一連の作業として効率よく施工することができる。
【００１１】
【発明の実施の形態】
以下、添付図面を参照して、本発明の実施の形態を詳細に説明する。なお、説明において、同一要素には同一符号を用い、重複する説明は省略する。
【００１２】
図１（ａ）は、本発明に係る湿式仕上構造の一実施形態として、枠組壁工法建物の室内壁コーナー部の下部を表す斜視図である。同図に示すように、内壁ＷＡの面材１Ａと内壁ＷＢの面材１Ｂは互いに直交し、入隅部２を形成している。湿式仕上材３は、面材１Ａ，１Ｂを下地面として塗り付けられている。面材１Ａ，１Ｂは石膏ボードやＯＳＢ、構造用合板等からなり、湿式仕上材３は左官材（セメントモルタル、プラスター、壁土、合成樹脂系混和材等）、吹付材（セメント系吹付材、合成樹脂系吹付材等）、塗料（油性塗料、合成樹脂塗料等）等からなる。
【００１３】
図１（ｂ）に示すように、湿式仕上材３の塗膜は入隅部２に沿って縁切りされており、隙間３ａが形成されている。このような塗膜の隙間３ａは湿式仕上材３の伸縮目地として機能するので、下地面を形成する面材１Ａ，１Ｂがずれたり、湿式仕上材３自体が収縮しても、入隅部２以外の場所で湿式仕上材３がひび割れることはない。
【００１４】
また、入隅部２に沿って形成された湿式仕上材３の塗膜の隙間３ａには、湿式の変位吸収材４が充填されている。この変位吸収材４は、ポリサルファイド系、合成樹脂系、ゴム系等の不定形シーリング材であり、面材１Ａ，１Ｂがずれたり湿式仕上材３が収縮してもこれに追随し、隙間３ａを露出させない程度の弾性を有している。
【００１５】
さらに、変位吸収材４は湿式材料であるため、その成分である顔料等の配合を湿式仕上材３のそれに容易に合わせることができる。つまり、変位吸収材４は、湿式仕上材３のテザインに調和させるように、その色合いやテクスチャーを無限に作り出すことができる。したがって、変位吸収材４を施工することによって湿式仕上材３による内装デザインを台無しにすることなく、湿式仕上材３のクラック発生を確実に防止することができる。
【００１６】
次に、このような湿式仕上構造を実現するための湿式仕上方法の一実施形態を、図２を参照しつつ説明する。
まず、第一工程として、図２（ａ）に示すように、面材１Ａ，１Ｂを下地面として、入隅部２を含む面材１Ａ，１Ｂの室内側面全面に湿式仕上材３を施工する。なお、湿式仕上材３の施工は、その種類に応じて、コテやヘラ、ローラー、刷毛、ガン等を用いて行う。
【００１７】
湿式仕上材３が乾燥してその塗膜が安定した状態となった後、第二工程として、図２（ｂ）に示すように、カッター５等を用いて、湿式仕上材３の塗膜を入隅部２に沿って切る。これにより、湿式仕上材３の塗膜には入隅部２に沿った隙間３ａが形成される。
【００１８】
最後に、第三工程として、図２（ｃ）に示すように、湿式仕上材３の塗膜の隙間３ａに変位吸収材４を充填する。変位吸収材４の充填は、その種類に応じて、ガン６や、コテ、ヘラ、刷毛等を用いて行う。なお、変位吸収材４は、湿式仕上材３に追随するようにその塗膜の隙間３ａを充填するものであるので、隙間３ａから多少はみ出るように施工する。また、このように施工しても、変位吸収材４の色合いやテクスチャーが湿式仕上材３のそれに調和しているので、湿式仕上材３による内装デザインを台無しにすることもない。
【００１９】
このような方法によれば、熟練した技を必要とすることなく、入隅部２で湿式仕上材３がひび割れない湿式仕上構造を、簡易かつ確実に実現することができる。特に、変位吸収材４の施工は内装工事の範疇であるので、一連の作業として効率よく施工することができる。
【００２０】
以上、本発明に係る湿式仕上構造及び湿式仕上方法の一実施形態を説明したが、本発明はこれに限定されるわけではなく、発明の趣旨に応じた適宜の変更実施が可能であることはいうまでもない。たとえば、本発明における入隅部には、壁と壁との交差部位だけでなく、壁と天井との交差部位や、壁と床との交差部位等、内装にかかわる面と面とが角度をもって交差するあらゆる入隅部が含まれる。また、下地も、木質系のものに限定されず、コンクリートや金属等、湿式仕上材に対応したものであれば、その材質や構造は自由に定めうる。
【００２１】
【発明の効果】
以上のように、本発明によれば、湿式仕上げの長所である高いデザイン自由度を生かしつつ、内装入隅部で湿式仕上材がひび割れることを簡易かつ確実に防止することができる。
【図面の簡単な説明】
【図１】（ａ）は本発明に係る湿式仕上構造の一実施形態を表す斜視図であり、（ｂ）は（ａ）の部分拡大水平断面図である。
【図２】本発明に係る湿式仕上方法の一実施形態を表す工程図である。
【図３】従来の湿式仕上構造の一例を説明する図である。
【図４】従来の湿式仕上構造の他の例を説明する図である。
【符号の説明】
１Ａ，１Ｂ    …  面材
ＷＡ，ＷＢ    …  内壁
２    …  入隅部
３    …  湿式仕上材
３ａ  …  隙間
４    …  変位吸収材
５    …  カッター
６    …  ガン
７    …  ジョイントテープ
８    …  見切縁
【図１】
2004197381.tif 000003
【図２】
2004197381.tif 000004
【図３】
2004197381.tif 000005
【図４】
2004197381.tif 000006